(57)【特許請求の範囲】
【請求項１】
それぞれ一次巻線と二次巻線とを有する、少なくとも第１及び第２の駆動トランスと、前記第１及び第２の駆動トランスのそれぞれの一次巻線に接続される第１のスイッチング部と、前記第１のスイッチング部を制御する制御部と、を備え、前記第１及び第２の駆動トランスのそれぞれの二次巻線に接続される放電管を駆動する放電管駆動回路において、  それぞれ一次巻線と二次巻線とを有する、少なくとも第１及び第２のバランストランスと、
第２のスイッチング部と、を更に備え、
前記第１の駆動トランスの前記一次巻線と前記第１のバランストランスの前記二次巻線とを直列接続すると共に、前記第２の駆動トランスの前記一次巻線と前記第２のバランストランスの前記二次巻線とを直列接続し、
前記第２のスイッチング部で発生した交流信号を、前記第１及び第２のバランストランスのそれぞれの前記一次巻線に印加する、ことを特徴とする放電管駆動回路。
【請求項２】
複数の駆動トランスの一次巻線が並列接続され、前記複数の駆動トランスの二次巻線に接続される放電管を駆動する放電管駆動回路において、
前記複数の駆動トランスに対応する複数のバランストランス、を備え、
前記複数の駆動トランスの各一次巻線と、前記対応するバランストランスの各二次巻線とを直列接続し、
前記対応するバランストランスの各一次巻線に交流信号を印加する、ことを特徴とする放電管駆動回路。
【請求項３】
第１及び第２の駆動トランスと、
前記第１の駆動トランスの一次巻線に接続される第１スイッチング部と、
前記第１スイッチング部に制御信号を供給するための制御部と、
前記第２の駆動トランスの一次巻線に接続され、前記制御部からの前記制御信号によりスイッチングされた電圧を出力する第２スイッチング部と、
前記第２の駆動トランスの二次巻線と直列に接続された一次巻線と、前記第１の駆動トランスの前記一次巻線と直列に接続された二次巻線とを有するバランストランスと、を備え、
前記第２スイッチング部で発生する前記電圧に応じた電流を前記第１の駆動トランスの前記一次巻線に流すように構成した、ことを特徴とする放電管駆動回路。
【請求項４】
スイッチング部、昇圧トランスを備えた複数の放電灯を点灯させるインバータ回路において、
少なくても二つの駆動トランスの一次巻線が直列に接続された第一の駆動トランス部と、
少なくても二つの駆動トランスの一次巻線が直列に接続された第二の駆動トランス部とを備え、
前記第一の駆動トランス部と前記第二の駆動トランス部のそれぞれに直列に接続されたバランストランスの二次巻線と一次巻線は直列に接続されると共に、交流信号が印加されるように構成した、ことを特徴とするインバータ回路。
【請求項５】
駆動トランス、バランストランスおよび前記バランストランスの一次巻線に接続され、交流電圧を入力して交流電流を形成するＬＣ共振回路を備えるインバータ回路において、
前記駆動トランスの一次巻線に直列に接続された前記バランストランスの二次巻線と磁路を共通にした前記バランストランスの一次巻線に、前記ＬＣ共振回路で形成された交流電流を印加する、ことを特徴とするインバータ回路。
【請求項６】
前記第２のスイッチング部には、前記第二の駆動トランスの一次巻線が接続されており、前記第二の駆動トランスの二次巻線と、前記バランストランスの一次巻線が接続されたサブ回路を構成したことを特徴とする請求項１に記載の放電管駆動回路。
【請求項７】
前記バランストランスの一次巻線に印加された交流信号は、前記第２のスイッチング部で発生した交流信号であることを特徴とする請求項２、４もしくは５に記載の放電管駆動回路。
【請求項８】
前記バランストランスの一次巻線に印加された交流電圧を、前記第２のスイッチング部にフィードバックしたことを特徴とする請求項１乃至５に記載の放電管駆動回路。
【請求項９】
前記バランストランスの一次巻線に印加された交流電流を、前記第２のスイッチング部にフィードバックしたことを特徴とする請求項１乃至５に記載の放電管駆動回路。
【発明の詳細な説明】
【技術分野】
【０００１】
この発明は、蛍光灯等の冷陰極放電管の点灯を制御する放電管駆動回路およびインバータ回路に関し、特に複数の駆動トランスを使用した放電管駆動回路およびインバータ回路に関する。
【背景技術】
【０００２】
よく知られているように、蛍光灯等の冷陰極放電管は、インバータで発生させた高周波駆動電圧に駆動されて発光する。この種の冷陰極放電管は照明用として用いることは勿論、最近は、液晶表示パネルのバックライト用の光源として多く使用されている。放電管駆動回路と冷陰極放電管は、放電管駆動回路に含まれるインバータの出力側に駆動トランスを設け、この駆動トランスの二次コイル側の出力端子を、コネクタを介して接続される構成となっている。
【０００３】
特に、液晶表示パネルのバックライト用として冷陰極放電管を使用する場合には、複数の冷陰極放電管を使用し、しかも複数の冷陰極放電管を均一に光らせる必要がある。
【０００４】
冷陰極放電管の低圧部にバランスコイルを接続したり、冷陰極放電管の高圧部にバランスコイルを接続して、複数の冷陰極放電管に流れる電流を一定にすることはすでに知られている。
【０００５】
また、複数の冷陰極放電管のインピーダンスのばらつき等により、冷陰極放電管の両極の電圧はばらつくことも知られている。そのため、複数の冷陰極放電管に流れる電流が個々に異なる値となり、発光輝度に違いが生ずる。液晶表示パネルのバックライト用とし複数の冷陰極放電管を使用する場合には、液晶表示パネルの輝度ムラを発生してしまうことになる。従って、複数の冷陰極放電管に流れる電流を一定にすることが必要となる。
【０００６】
放電管の低圧部にバランスコイルを接続したり、放電管の高圧部にバランスコイルを接続して、複数の放電管に流れる電流を一定にする事は既に各社行っている技術である。放電管のインピーダンスのばらつき、またはパネルとの浮遊容量のばらつき等により、放電管に同じ電圧を印加しても、流れる電流は等しくはならない。液晶ＴＶでは、画面が大きくなってきているため、液晶表示パネル一台当り、複数の放電管を用いるようになってきている。そのため、上記記載のように、放電管に流れる電流量が個々に変ると輝度ムラを発生したりするため、各放電管に流れる電流を合わせることが必要不可欠となっている。
【０００７】
また、従来では、放電管の低圧部又は高圧部に対して、バランスコイルを接続する方法があるが、基本的には、放電管の数−１のバランスコイルが必要となったり、一つの磁路で、複数の放電管の数分だけ巻線を必要とするものがある。（特開２００３−３１３８３号公報、米国特許第６、７８１、３２５号）。しかしながら、放電管の数−１のバランスコイルでは、バランスコイルの占める面積が増大してしまい、基板が大型化してしまう。また、一つの磁路で、放電管の数だけの巻線を備えたバランスコイルでは、バランスコイルそのものの大きさが大きくなってしまうという問題を抱えている。
【０００８】
また、ＷＯ２００５／０３８８２８では、バランストランスの一次巻線は放電管にそれぞれ接続されており、各々のバランストランスの二次巻線は閉ループを形成した回路となっている。また、トランスの出力に対して複数の放電管が、並列に接続されていることが開示されていて、一つの放電管が点火しなかった場合に、その箇所の電圧を上げるべく、バランストランスが作用することが記載されている。
【０００９】
しかしながら、二次巻線側にバランストランスを配置するとなると、駆動トランスの二次巻線は、高圧を出力しているため、絶縁性を考慮しなければならず、基板設計で部品配置を考えなければならないし、また、放電管の数に対して同数のバランストランス、または、放電管の数に対して半分のバランストランスを使用しなければならず、やはり面積を占めるものであった。
【００１０】
さらに、従来の方式では、駆動トランスの二次電流をＦ／Ｂ信号として定電流制御としていたが、１つのＩＣで複数の出力を行う場合、何れか１出力での制御しかできず、他の出力はバラツキが大きかった。このため多灯式の放電管バックライト駆動回路においては、放電管電流のバラツキを抑えるため、駆動トランスの特性の選別、出力コンデンサ容量の選別等を行っていた。
【００１１】
しかしこの方法では、液晶表示パネル毎の浮遊容量のバラツキなどにより、放電管電流のバラツキ抑制には限界があった。また、バラストコンデンサを接続し、二次側の共振周波数を設定しなければならないこともあり、絶縁性の高い部品を使用することによるコストアップに繋がった。また、放電管電流のバラツキを低減させるため、バランストランスを使用することで、個々に流れる放電管電流を合わせることが行われていたが、バランストランスの数が多くなると言う問題も抱えていた。
【００１２】
また、共振用コンデンサ（フィルタ用のコンデンサ）が、放電管に並列に接続された回路として、特開２００５−５０５９が開示されている。この回路では、駆動トランスの一次巻線には、矩形波が入力されるために駆動トランスの二次巻線にはコンデンサを配置させて、駆動トランスの二次側インダクタンスとコンデンサとでＬＣフィルタを構成して、交流（理想的にはＳＩＮ波）を形成していた。しかしながら、駆動トランスの二次巻線側に接続されるため、耐圧の高いコンデンサを使用しなければならず、コストアップに繋がる。また、近年、液晶ＴＶの大型化により使用される放電灯の数が一台あたりに増えてきていることから、放電管の数、もしくはトランスの数だけコンデンサを必要とするため、基板の面積の増大となった。又、矩形波をトランスで変換するため効率が悪くなった。
【特許文献１】特開２００３−３１３８３号公報
【特許文献２】米国特許第６、７８１、３２５号
【特許文献３】特表２００４−５０６２９４号公報
【特許文献４】特開２００５−００５０５９号公報
【発明の開示】
【発明が解決しようとする課題】
【００１３】
本発明では、一次巻線側にバランストランスを接続することで、一次側の電流を合わせ、間接的に各放電管の電流を合わせると共にサブ回路で、交流（理想的にはＳＩＮ波）電流をメイン回路の一次側に入力することで、フィルタ用のコンデンサをなくし、効率ＵＰを図ることを特徴としている。また、一次巻線側にバランストランスを配置させるために、部品配置に対して、絶縁を考慮しなくても良くなり、非常に有用に基板設計が可能となる。また、バランストランスの部品点数を減少させ、駆動することが可能となり、実用的である。
【００１４】
したがって、本発明の目的は、少ない数のバランストランスの使用にもかかわらず、複数の放電管を均一に発光させることが可能な放電管駆動回路およびインバータ回路を提供することにある。
【００１５】
又、駆動回路の一次巻線に交流（理想的には、サイン波）を直接に印加しているため矩形の電流で駆動するよりも効率が良くなる。又、駆動トランスの二次巻線側にフィルタ用としてのコンデンサを接続する必要が無くなるため、コストダウンに繋がることが可能な放電灯駆動回路およびインバータ回路を提供することにある。
【課題を解決するための手段】
【００１６】
上記目的を達成するために、本発明の実施例における放電管駆動回路は、それぞれ一次巻線と二次巻線とを有する、少なくとも第１及び第２の駆動トランスと、前記第１及び第２の駆動トランスのそれぞれの一次巻線に接続される第１のスイッチング部と、前記第１のスイッチング部を制御する制御部と、を備え、前記第１及び第２の駆動トランスのそれぞれの二次巻線に接続される放電管を駆動する放電管駆動回路において、
それぞれ一次巻線と二次巻線とを有する、少なくとも第１及び第２のバランストランスと、
第２のスイッチング部と、を更に備え、
前記第１の駆動トランスの前記一次巻線と前記第１のバランストランスの前記二次巻線とを直列接続すると共に、前記第２の駆動トランスの前記一次巻線と前記第２のバランストランスの前記二次巻線とを直列接続し、
前記第２のスイッチング部で発生した交流信号を、前記第１及び第２のバランストランスのそれぞれの前記一次巻線に印加する、ことを特徴とする。
【００１７】
上記目的を達成するために、本発明の他の実施例における放電管駆動回路は、複数の駆動トランスの一次巻線が並列接続され、前記複数の駆動トランスの二次巻線に接続される放電管を駆動する放電管駆動回路において、
前記複数の駆動トランスに対応する複数のバランストランス、を備え、
前記複数の駆動トランスの各一次巻線と、前記対応するバランストランスの各二次巻線とを直列接続し、
前記対応するバランストランスの各一次巻線に交流信号を印加する、ことを特徴とする。
【００１８】
上記目的を達成するために、本発明の放電管駆動回路は、
第１及び第２の駆動トランスと、
前記第１の駆動トランスの一次巻線に接続される第１スイッチング部と、
前記第１スイッチング部に制御信号を供給するための制御部と、
前記第２の駆動トランスの一次巻線に接続され、前記制御部からの前記制御信号によりスイッチングされた電圧を出力する第２スイッチング部と、
前記第２の駆動トランスの二次巻線と直列に接続された一次巻線と、前記第１の駆動トランスの前記一次巻線と直列に接続された二次巻線とを有するバランストランスと、を備え、
前記第２スイッチング部で発生する前記電圧に応じた電流を前記第１の駆動トランスの前記一次巻線に流すように構成した、ことを特徴とする。
【００１９】
上記目的を達成するために、本発明の、さらに他の実施例におけるインバータ回路は、
スイッチング部、昇圧トランスを備えた複数の放電灯を点灯させるインバータ回路において、
少なくても二つの駆動トランスの一次巻線が直列に接続された第一の駆動トランス部と、
少なくても二つの駆動トランスの一次巻線が直列に接続された第二の駆動トランス部とを備え、
前記第一の駆動トランス部と前記第二の駆動トランス部のそれぞれに直列に接続されたバランストランスの二次巻線と一次巻線は直列に接続されると共に、交流信号が印加されるように構成した、ことを特徴とする。
【００２０】
上記目的を達成するために、本発明のインバータ回路は、
駆動トランス、バランストランスおよび前記バランストランスの一次巻線に接続され、交流電圧を入力して交流電流を形成するＬＣ共振回路を備えるインバータ回路において、
前記駆動トランスの一次巻線に直列に接続された前記バランストランスの二次巻線と磁路を共通にした前記バランストランスの一次巻線に、前記ＬＣ共振回路で形成された交流電流を印加する、ことを特徴とする。
【発明の効果】
【００２１】
本願発明は、バランストランスの一次巻線を直列に接続していることによって、駆動トランスの一次巻線に流れる電流を一定にすることが可能となる。また、ＡＣ電流を駆動トランスの一次側巻線に与えることが可能となり、二次側にコンデンサを設ける必要が無くなり、コストを下げるばかりでなく、効率も上げることが可能となる。また、コンデンサの使用個数が減らせることが可能となり基板面積を抑え、コストを下げることが可能となる。
【発明を実施するための最良の形態】
【００２２】
＜実施例１＞
先ず、図１を参照して、本発明の実施例１に係る２本の放電管ＦＬ１、ＦＬ２を駆動する放電管駆動回路を説明する。本発明の実施例における放電管駆動回路は、基本的に、メイン回路６とサブ回路７とで構成される。図１において、電源端子１、２間に直流電源のＶｉｎが印加される。尚、電源端子２は、接地電位に接続される。さらに、直流電源Ｖｉｎは、ヒューズ３を介して、制御回路５及びスイッチング回路８に動作電源として供給される。尚、４は、平滑用コンデンサである。
【００２３】
スイッチング回路８は、複数からなるスイッチング素子で構成され、フルブリッジやハーフブリッジ等で構成されてメイン回路６に含まれ、制御回路５からのスイッチングパルスで制御される。スイッチング回路８の出力は、後で説明するメイン回路６に含まれる駆動トランスＤＴ１、ＤＴ２で高電圧に昇圧され、高周波高電圧として放電管ＦＬ１、ＦＬ２に印加され、放電管ＦＬ１、ＦＬ２を駆動する。
【００２４】
よく知られているように、制御回路５は、その内部に可変周波数発振回路、又はＰＷＭ変調回路等を備え、この可変周波数発振回路の発振周波数、又はＰＷＭ変調回路の出力パルス幅が、放電管に流れる電流に関連するＩＦ／Ｂ信号、さらには放電管に印加される電圧に関連するＶＦ／Ｂ信号により制御される。それにより、点灯させる放電管は、安全性と安定して均一に発光することが可能となる。
【００２５】
図１に示す放電管駆動回路のメイン回路６には、２つの駆動トランスＤＴ１及びＤＴ２が使用される。すなわち、メイン回路６は、２つの駆動トランスＤＴ１、ＤＴ２、及び２つのバランストランスＣＴ１及びＣＴ２の二次巻線ＣＴ１−２及びＣＴ２−２を備える。
【００２６】
図示するように、駆動トランスＤＴ１の一次巻線ＤＴ１−１とバランストランスＣＴ１の二次巻線が直列接続され、その両端はスイッチング回路８に接続される。同様に、駆動トランスＤＴ２の一次巻線ＤＴ２−１とバランストランスＣＴ２の二次巻線が直列接続され、その両端はスイッチング回路８に接続される。尚、駆動トランスＤＴ１、ＤＴ２の一次巻線ＤＴ１−１とＤＴ２−１は、それぞれ並列接続されてスイッチング回路８に接続されている。
【００２７】
また、駆動トランスＤＴ１の２つの二次巻線ＤＴ１−２１及びＤＴ１−２２は直列接続とされ、中点は接地され、両端は放電管ＦＬ１に接続される。同様に、駆動トランスＤＴ２の２つの二次巻線ＤＴ２−２１及びＤＴ２−２２は直列接続とされ、中点は接地され、両端は放電管ＦＬ２に接続される。
【００２８】
次にサブ回路７について説明する。サブ回路７は、基本的に、スイッチング回路９、駆動トランスＬＴ及び２つのバランストランスＣＴ１及びＣＴ２の一次巻線ＣＴ１−１及びＣＴ２−１を備える。スイッチング回路９は、複数からなるスイッチング素子で構成され、フルブリッジやハーフブリッジ等を示し、電源端子１、２から供給される直流電源Ｖｉｎで動作し、制御回路５からのスイッチングパルスで制御される。
【００２９】
スイッチング回路９の出力は、駆動トランスＬＴの一次巻線ＬＴ１に供給される。この駆動トランスＬＴの二次巻線ＬＴ２の一方の端子は抵抗Ｒを介して接地される。このとき、駆動トランスＬＴの二次巻線ＬＴ２の一方の端子と抵抗Ｒとの接続中点は、ＩＦ／Ｂ信号として制御回路５に帰還される。また、駆動トランスＬＴの二次巻線ＬＴ２の他方の端子は、コイルＬと、バランストランスＣＴ１及びＣＴ２の直列接続された一次巻線ＣＴ１−１及びＣＴ２−１と直列接続されて接地される。
【００３０】
また、コイルＬと直列接続された一次巻線ＣＴ１−１及びＣＴ２−１との接続中点は、２つのコンデンサＣ１及びＣ２を介して接地される。この２つのコンデンサＣ１及びＣ２の接続中点は、各駆動トランスＤＴ１、ＤＴ２に印加される電圧に関連し、ＶＩ／Ｆ信号として制御回路５に帰還される。
【００３１】
具体的には、過電圧保護の役割をしており、例えば、放電管ＦＬ１がオープンになると、その系統のインピーダンスが上昇し、駆動トランスＤＴの１次電流が減少する。従って、その系統のバランストランスＣＴ１の電流も減少する。すなわち、バランストランスのインピーダンスが高くなる。バランストランスのインピーダンスが上昇すると、サブ回路７のＬＣ共振回路のＱが上昇するため、コンデンサの電圧も上昇する。このコンデンサの電圧上昇により、負荷オープンを検出する。
【００３２】
次に、実施例１の放電管駆動回路の動作について、動作を説明する。まず、メイン回路６において、スイッチング回路８からスイッチングされた電圧Ｖｉｎが出力されると、駆動トランスＤＴ１、ＤＴ２のそれぞれの一次巻線ＤＴ１−１、ＤＴ２−１には電圧が掛かる。そして、サブ回路にもスイッチング回路９からスイッチングされた電圧が出力され、駆動トランスＬＴの一次巻線ＬＴ１に入力される。そして、駆動トランスＬＴの二次巻線ＬＴ２には、コイルＬとコンデンサＣ１、コンデンサＣ２とで形成されるＬＣ共振回路の共振周波数で交流（理想的にはサイン波である。）の電流が発生し、バランストランスＣＴ１、ＣＴ２のそれぞれの一次巻線ＣＴ１−１、ＣＴ２−１に与えられる。
【００３３】
ここで、バランストランスＣＴ１−１およびＣＴ２−１は直列に接続されているため、等しい電流が流れる。その電流値に合わせて、バランストランスの二次巻線ＣＴ１−２、ＣＴ２−２に供給されることによって、駆動トランスＤＴ１、ＤＴ２のそれぞれの一次巻線ＤＴ１−１、ＤＴ２−１の電流が等しくなる。また、交流（理想的には、サイン波）の電流がバランストランスによって、強制的に駆動トランスの一次巻線に流れることで、交流（理想的には、サイン波）電流で昇圧が可能となる。また、駆動トランスＤＴ１、ＤＴ２のそれぞれの二次巻線ＤＴ１−２１、ＤＴ１−２２、ＤＴ２−２１、ＤＴ２−２２には放電管駆動信号が発生され、それぞれ放電管ＦＬ１、ＦＬ２を駆動する。
【００３４】
また、サブ回路７の抵抗Ｒの両端に発生する電圧は、駆動トランスＤＴ１とＤＴ２の一次巻線ＤＴ１−１及びＤＴ２−１に流れる電流と関連するもので、ＩＦ／Ｂ信号として制御回路５に帰還されると共に、コンデンサＣ１及びＣ２の接続中点に発生する電圧は、駆動トランスＤＴ１とＤＴ２の一次巻線ＤＴ１−１及びＤＴ２−１に印加される電圧と関連するもので、ＶＦ／Ｂ信号として制御回路５に帰還される。この帰還されるＩＦ／Ｂ信号及びＶＦ／Ｂ信号により、制御回路５に含まれる可変周波数発振回路、ＰＷＭ変調回路等を制御することで、放電管ＦＬ１、ＦＬ２の発光輝度を一定とすることが可能となる。
【００３５】
尚、図１の実施例１に示した放電管駆動回路おいては、２つの駆動トランスＤＴ１、ＤＴ２を使用する放電管駆動回路として説明したが、必ずしも、この構成に限定されるものではない。たとえば、３つ又はそれ以上の駆動トランスを並列に接続し、同様な効果を得ることが可能である。たとえば、３つの駆動トランスを使用するときは、バランストランスも３つ使用する。３つのバランストランスの２次巻線は、それぞれ３つの駆動トランスの一次巻線と直列に接続されると共に、３つのバランストランスの一次巻線を直列接続して、コイルＬと接地との間に挿入することで構成される放電管駆動回路としてもよい。
【００３６】
＜実施例２＞
次に、図２を参照して、本発明の実施例２について説明する。図２には、図１に示した実施例１のサブ回路７を変形したサブ回路７’を示す。他の回路部分は、図１に示した実施例１と同じ構成であるので、省略し、さらに、サブ回路７’においても、図１に示した実施例１と同じ部分には共通の参照番号を付し、重複する説明は省略する。
【００３７】
図２のサブ回路７’において、駆動トランスＬＴの二次巻線ＬＴ２の一方の端子は直接接地される。また、この二次巻線ＬＴ２の他方の端子は、コイルＬ、コンデンサＣ、直列接続されたバランストランスＣＴ１、ＣＴ２の一次巻線ＣＴ１−１、ＣＴ２−１及び抵抗Ｒとが直列接続され接地される。この抵抗ＲとバランストランスＣＴ２の一次巻線ＣＴ２−１との接続中点からは、ＩＦ／Ｂ信号が取り出され、コンデンサＣとバランストランスＣＴ１の一次巻線ＣＴ１−１との接続中点からは、ＶＦ／Ｂ信号が取り出され、それぞれ図１の制御回路５に帰還される構成とされている。
【００３８】
このように構成されたサブ回路７’を使用した実施例２においても、図１に示した実施例１と同じ効果が得られる。さらに、サブ回路７’を使用した実施例２における放電管駆動回路おいても、実施例１の放電管駆動回路と同様な変形例で実施することが可能である。すなわち、３つの駆動トランスを使用するときは、バランストランスも３つ使用する。そして３つのバランストランスの一次巻線を直列接続して、コンデンサＣと接地との間に挿入することで構成される放電管駆動回路としてもよい。
【００３９】
＜実施例３＞
次に、図３を参照して、本発明の実施例３について説明する。図３には、図１に示した実施例１のメイン回路６を変形したメイン回路６’を示す。他の回路部分は、図１に示した実施例１と同じ構成であるので、省略し、さらに、メイン回路６’においても、図１に示した実施例１と同じ部分には共通の参照番号を付し、重複する説明は省略する。
【００４０】
図３のメイン回路６’において、メイン回路６’は、４つの駆動トランスＤＴ１乃至ＤＴ４を使用する構成である。すなわち、駆動トランスＤＴ１、ＤＴ２の一次巻線ＤＴ１−１、ＤＴ２−１は直列接続されて、バランストランスＣＴ１の二次巻線ＣＴ１−２と直列接続される構成とされる。そして、この両端がスイッチング回路８に接続される。また、駆動トランスＤＴ１の二次巻線ＤＴ１−２は、一方が接地され、他方は、放電管ＦＬ１及び抵抗Ｒ１を介して接地される。同じく、駆動トランスＤＴ２の二次巻線ＤＴ２−２は、一方が接地され、他方は、放電管ＦＬ２及び抵抗Ｒ２を介して接地される。
【００４１】
同様に、駆動トランスＤＴ３、ＤＴ４の一次巻線ＤＴ３−１、ＤＴ４−１は直列接続されて、バランストランスＣＴ２の二次巻線ＣＴ２−２と直列接続される構成とされる。そして、この両端がスイッチング回路８に接続される。また、駆動トランスＤＴ３の二次巻線ＤＴ３−２は、一方が接地され、他方は、放電管ＦＬ３及び抵抗Ｒ３を介して接地される。同じく、駆動トランスＤＴ４の二次巻線ＤＴ４−２は、一方が接地され、他方は、放電管ＦＬ４及び抵抗Ｒ４を介して接地される。このようにして構成される実施例３の放電管駆動回路においても、実施例１の放電管駆動回路と同じ効果を得ることが可能である。  尚、図３に示した実施例３を採用した放電管駆動回路おいては、２つの駆動トランスを直列に接続した駆動回路を２組使用する放電管駆動回路として説明したが、必ずしも、この構成に限定されるものではない。たとえば、２つの駆動トランスを直列に接続した駆動回路を３組又は３組以上使用し、同様な効果を得ることが可能である。
【００４２】
たとえば、２つの駆動トランスを直列に接続した駆動回路を３組使用する放電管駆動回路とすれば、バランストランスも３つ使用する。そして図１に示すサブ回路７においては、３つのバランストランスの一次巻線を直列接続することで構成される放電管駆動回路としてもよい。尚、２つの駆動トランスを直列に接続した駆動回路として説明をしたが、３つ以上の駆動トランスを直列に接続し、必要な放電管の数だけ組数を増やせば良い。
【００４３】
又、図１乃至図３で示したメイン回路の駆動トランスと放電管との接続方法については必ずしもこの構成に限定されるものではない。放電管も直管でなく、Ｕ字管、疑似Ｕ字管を使用しても良い。
【００４４】
さらに、バランストランスＣＴ１、ＣＴ２は、特に形状として限定されるものでは無いが、一次巻線と二次巻線を共通の磁路としていることが条件である。さらに、駆動トランスについても、形状は限定されるものでは無い。また、バランストランス内蔵型の駆動トランスを用いても良い。
【００４５】
以上、本発明に係る放電管駆動回路の各実施例１乃至３及びそれらの変形例について説明したが、本発明に係る放電管駆動回路は、上述した実施例、変形例に限られるものではなく、種々に態様を変更することが可能である。すなわち、実施例２のサブ回路７’及び実施例３のメイン回路６’を使用し、新たな実施例となる放電管駆動回路を構成してもよい。
【図面の簡単な説明】
【００４６】
【図１】本発明の実施例１における放電管駆動回路の回路図を示す図である。
【図２】本発明の実施例２における放電管駆動回路のサブ回路の回路図を示す図である。
【図３】本発明の実施例３における放電管駆動回路のメイン回路の回路図を示す図である。
【符号の説明】
【００４７】
１、２  電源端子
５  制御回路
８、９  スイッチング回路
６、６’  メイン回路
７、７’  サブ回路
ＤＴ１〜ＤＴ４  駆動トランス
ＤＴ１−１〜ＤＴ４−１  一次巻線
ＤＴ１−２〜ＤＴ４−２  二次巻線
ＣＴ１、ＣＴ２  バランストランス
ＣＴ１−１、ＣＴ２−１  一次巻線
ＣＴ１−２、ＣＴ２−２  二次巻線
ＬＴ  駆動トランス
ＬＴ１  一次巻線
ＬＴ２  二次巻線
Ｒ  抵抗
Ｌ  コイル
Ｃ、Ｃ１、Ｃ２  コンデンサ
【図１】
0004629613.tif 000002
【図２】
0004629613.tif 000003
【図３】
0004629613.tif 000004